(57)【特許請求の範囲】
【請求項１】
機器ケースに一方の面を対向させた状態で装着した配線基板の他方の面に、端子とこの端子を保持する端子保持部とを備えた基板用コネクタを装着し、前記基板用コネクタに前記配線基板側から嵌合する相手側コネクタが挿入される挿入部を、前記機器ケースおよび配線基板にそれぞれ設け、前記機器ケースの挿入部に、前記配線基板側に向けて延長されて前記相手側コネクタの挿入時のガイドとなるガイド部を設け、前記端子保持部は、底部と、この底部の周囲から配線基板側に向けて延長されて端子の一端側周囲を覆いかつ相手側コネクタ挿入時のガイドとなるフード部とを備え、前記ガイド部は前記フード部の内周壁面と略面一となる内周面からなるガイドフード部を備えたことを特徴とする基板用コネクタの接続部構造。
【請求項２】
前記ガイド部の先端側端部は、配線基板の一方の面に接触するとともに、フード部の先端側端部は、前記配線基板の他方の面に接触していることを特徴とする請求項１記載の基板用コネクタの接続部構造。
【請求項３】
機器ケースに一方の面を対向させた状態で装着した配線基板の他方の面に、端子とこの端子を保持する端子保持部とを備えた基板用コネクタを装着し、前記基板用コネクタに前記配線基板側から嵌合する相手側コネクタが挿入される挿入部を、前記機器ケースおよび配線基板にそれぞれ設け、前記機器ケースの挿入部に、前記配線基板側に向けて延長されて前記相手側コネクタの挿入時のガイドとなるガイド部を設け、端子保持部は、配線基板とほぼ平行な端子保持板で構成され、前記ガイド部は、前記配線基板の挿入部に挿入されて前記端子保持板の周縁部に先端が位置するよう延長形成されていることを特徴とする基板用コネクタの接続部構造。
【発明の詳細な説明】
【０００１】
【発明の属する技術分野】
この発明は、配線基板の一方の面に装着した基板用コネクタに、配線基板に形成した貫通孔を通して相手側コネクタが接続される基板用コネクタの接続部構造に関する。
【０００２】
【従来の技術】
図１０は、基板用コネクタ１の一例を示す斜視図で、図１１は、基板用コネクタ１が配線基板３に装着された状態を示す断面図である。基板用コネクタ１のハウジング５には、相手側コネクタ７が嵌合する嵌合穴５ａが形成され、この嵌合穴５ａには複数の雄端子９が収容されている。雄端子９は、ハウジング５の底部５ｂから側部のフード部５ｃ内に埋め込まれた形で嵌合穴５ａの開口側に引き出され、この引出端部９ａが配線基板３上の導電部に半田１１により固定されている。
【０００３】
上記基板用コネクタ１は、図１１に示す状態で、相手側コネクタ７が、配線基板３に対して基板用コネクタ１と反対側から、配線基板３に形成した貫通孔３ａを通して嵌合穴５ａに嵌合され、これによりコネクタ相互が接続された状態となる。
【０００４】
【発明が解決しようとする課題】
ところで、上記した従来の基板用コネクタの接続構造においては、相手側コネクタ７が基板用コネクタ１に対して傾いた状態で無理に嵌合させてしまう、いわゆるこじりが発生する恐れがある。これを避けるために、基板用コネクタ１は、ハウジング５のフード部５ｃの高さ寸法Ｈが比較的長く形成され、これに伴い、雄端子９の全長も長いものとなっている。
【０００５】
これらにより、基板用コネクタ１は、全体として大型化しているので、コスト高になるとともに、使用部位のスペースにより制約されて設置できない場合も発生する。
【０００６】
そこで、この発明は、基板用コネクタの小型化を達成することを目的としている。
【０００７】
【課題を解決するための手段】
前記目的を達成するために、請求項１の発明は、機器ケースに一方の面を対向させた状態で装着した配線基板の他方の面に、端子とこの端子を保持する端子保持部とを備えた基板用コネクタを装着し、前記基板用コネクタに前記配線基板側から嵌合する相手側コネクタが挿入される挿入部を、前記機器ケースおよび配線基板にそれぞれ設け、前記機器ケースの挿入部に、前記配線基板側に向けて延長されて前記相手側コネクタの挿入時のガイドとなるガイド部を設け、前記端子保持部は、底部と、この底部の周囲から配線基板側に向けて延長されて端子の一端側周囲を覆いかつ相手側コネクタ挿入時のガイドとなるフード部とを備え、前記ガイド部は前記フード部の内周壁面と略面一となる内周面からなるガイドフード部を備えた構成としてある。
【０００８】
このような構成の基板用コネクタの接続部構造によれば、配線基板に装着された基板用コネクタに対し、機器ケースの外部から相手側コネクタを嵌合する際には、基板用コネクタは、機器ケースの挿入部に挿入後、機器ケースのガイド部にガイドされる。
【００１０】
また、上記構成によれば、相手側コネクタは、機器ケースのガイド部および基板用コネクタのフード部にそれぞれガイドされて基板用コネクタに嵌合する。
【００１１】
請求項２の発明は、請求項１の発明の構成において、ガイド部の先端側端部は、配線基板の一方の面に接触するとともに、フード部の先端側端部は、前記配線基板の他方の面に接触している。
【００１２】
上記構成によれば、配線基板を機器ケースに装着する際には、配線基板が機器ケースのガイド部先端に当接し、これによりガイド部、配線基板の挿入部およびフード部が、相手側コネクタ挿入の際の連続したガイドとなる。
【００１３】
請求項３の発明は、機器ケースに一方の面を対向させた状態で装着した配線基板の他方の面に、端子とこの端子を保持する端子保持部とを備えた基板用コネクタを装着し、前記基板用コネクタに前記配線基板側から嵌合する相手側コネクタが挿入される挿入部を、前記機器ケースおよび配線基板にそれぞれ設け、前記機器ケースの挿入部に、前記配線基板側に向けて延長されて前記相手側コネクタの挿入時のガイドとなるガイド部を設け、端子保持部は、配線基板とほぼ平行な端子保持板で構成され、ガイド部は、前記配線基板の挿入部に挿入されて前記端子保持板の周縁部に先端が位置するよう延長形成されている。
【００１４】
上記構成によれば、機器ケースのガイド部が、基板用コネクタの端子保持部におけるフード部の代わりとなる。
【００１５】
【発明の実施の形態】
以下、この発明の実施の形態を図面に基づき説明する。
【００１６】
図１は、この発明の実施の一形態を示す基板用コネクタの接続部構造を備えた自動車用メータの断面図である。機器ケースとしてのメータケース１５は、図中で左側の前面側が開口しており、この開口側から、配線基板１７および固定プレート１９をメータケース１５内に収容することで、固定プレート１９とメータケース１５の底部との間で配線基板１７が挟時固定される。
【００１７】
固定プレート１９の配線基板１７と反対側の表面上には、文字板２１が配置され、文字板２１は、メータケース１５の前面側の開口部を覆うように装着される見返し２３によって挟時固定される。この見返し２３の前面側には、さらに表ガラス２５が装着されている。
【００１８】
配線基板１７には、指針２７を文字板２１上で回転駆動するムーブメント２９、指針２７を照明する照明用バルブ３１、警告表示用の意匠部などを照明するバルブ３３が、それぞれ取り付けられている。照明用バルブ３１の光は、文字板２１の裏面に装着された導光板３５を介して指針２７に送られる。
【００１９】
上記配線基板１７の固定プレート１９側の図１中で上部側には、基板用コネクタ３７が装着されている。基板用コネクタ３７は、図２に斜視図で示すように、端子保持部としてのハウジング３９が、相手側コネクタ４１が嵌合する嵌合穴３９ａを備え、この嵌合穴３９ａ内に複数の雄端子４３が収容されている。雄端子４３は、ハウジング３９の底部３９ｂおよびフード部となる側部３９ｃに埋め込まれる形で屈曲形成され、嵌合穴３９ａの開口側に突出するよう引き出されて引出端部４３ａを構成している。
【００２０】
図１の要部を拡大した図３に示すように、上記引出端部４３ａが、配線基板１７の端子挿入孔１７ａに挿入されて配線基板１７の裏面側（図１および図３中で右側の面）にて導電部に半田４５により半田付けされ、これにより基板用コネクタ３７は配線基板１７に装着される。この装着状態で、基板用コネクタ３７は、ハウジング３９のフード部３９ｃ先端が、配線基板１７の他方の面である表面側に当接し、嵌合穴３９ａが、配線基板１７に形成した挿入部としての貫通孔１７ｂおよびメータケース１５に形成した挿入部としての貫通孔１５ａに整合した状態であり、これら各貫通孔１５ａ，１７ｂを通して相手側コネクタ４１が基板用コネクタ３７に嵌合される。
【００２１】
上記メータケース１５の貫通孔１５ａには、全周にわたり配線基板１７側に向けて延長されるガイド部１５ｂが形成されている。ガイド部１５ｂの先端は、配線基板１７の一方の面である裏面側に当接している。このガイド部１５ｂの高さ寸法Ｈ1と、基板用コネクタ３７のハウジング３９におけるフード部３９ｃの高さ寸法Ｈ2との和が、前記図１０および図１１に示した従来の基板用コネクタ１のハウジング５におけるフード部５ｃの高さ寸法にほぼ等しく、これにより、相手側コネクタ４１が基板用コネクタ３７に対して傾いた状態で無理に嵌合させてしまう、こじり発生を防止している。
【００２２】
また、図２に示すように、相手側コネクタ４１には、幅方向両側部の図中で上面にリブ４１ａが、リブ４１ａ相互間には係合凸部４１ｂがそれぞれ形成されている。前記リブ４１ａは、基板用コネクタ３７側の溝３９ｄに入り込んで誤挿入を防止し、係合凸部４１ｂは、嵌合穴３９ａ内の側壁に形成されている係合凹部３９ｅに係合してコネクタ相互の抜け止めとなる。上記リブ４１ａに対応してメータケース１５および配線基板１７にも、図示していないがリブ４１ａが挿入される溝が形成されている。
【００２３】
上記した基板用コネクタの接続部構造によれば、相手側コネクタ４１を基板用コネクタ３７に嵌合させる際に、相手側コネクタ４１は、メータケース１５のガイド部１５ｂにガイドされ、さらに配線基板１７の貫通孔１７ｂを経てハウジング３９のフード部３９ｃにガイドされつつ嵌合穴３９ａに入り込む。
【００２４】
このように、メータケース１５側に相手側コネクタ４１の挿入時のガイドとなるガイド部１５ｂを設けたので、基板用コネクタ３７は、相手側コネクタ４１の挿入時のガイドとなるフード部３９ｃの高さ寸法Ｈ2を、前記図１０および図１１に示した従来のフード部５ｃの高さ寸法Ｈに比べて小さくでき、同様に雄端子４３の全長も短くなり、全体として小型化が達成できてコスト低下を図ることが可能になる。小型化の達成により、より狭いスペースでの使用が可能となり、汎用性が向上する。
【００２５】
図４は、この発明の他の実施の形態を示す、前記図３に相当する断面図である。この実施の形態における基板用コネクタ４７は、端子保持部が、図５に斜視図で示すように、配線基板４９への装着時に配線基板４９とほぼ平行となる端子保持板５１で構成され、この端子保持板５１に、雄端子５３が圧入固定されている。
【００２６】
機器ケースであるメータケース５５の挿入部としての貫通孔５５ａには、全周にわたり配線基板４９側に向けて延長されるガイド部５５ｂが形成されている。ガイド部５５ｂは、配線基板４９の挿入部としての貫通孔４９ａに挿入されて端子保持板５１の周縁部に先端側が位置している。すなわち、このガイド部５５ｂは、基板用コネクタ４７のフード部の役目を果たす。
【００２７】
図６に雄端子５３を、図７に端子保持板５１を、ぞれぞれ斜視図で示す。雄端子５３は、上記ガイド部５５ｂに囲まれた嵌合収容室５７内に位置して相手側コネクタの雌端子に嵌合する嵌合部５３ａと、この嵌合部５３ａと平行となるよう屈曲してガイド部５５ｂの外部に位置し、その先端側が配線基板４９の端子挿入孔４９ｂに挿入される基板固定部５３ｂとを備えている。基板固定部５３ｂの先端側は、端子挿入孔４９ｂに挿入されて配線基板４９上の導電部に半田５９により固定される。
【００２８】
基板用コネクタ４７の雄端子５３は、嵌合部５３ａより屈曲部側に、端子保持板５１の圧入孔６１に圧入される圧入部６３が形成されている。圧入部６３は、嵌合部５３ａより幅広の第１の段部６３ａと、第１の段部６３ａよりさらに幅広の第２の段部６３ｂとを備えている。これに対応して端子保持板５１の圧入孔６１は、図７の拡大されたＡ−Ａ断面図である図８に示すように、第１の段部６３ａが入り込む第１の段部嵌入部６１ａと、第２の段部６３ｂが入り込む第２の段部嵌入部６１ｂとを備えている。図９は、図８における端子保持板５１の嵌入孔６１に、図中で上方から雄端子５３の圧入部６３が圧入された状態を示している。
【００２９】
上記した基板用コネクタの接続部構造によれば、相手側コネクタを基板用コネクタ４７に嵌合させる際に、相手側コネクタは、メータケース５５のガイド部５５ｂにガイドされる。そして、基板用コネクタ４７は、端子保持部として端子保持板５１のみを有し、前記図３に示したもののようなフード部がないので、基板用コネクタ４７としてさらに小型化、軽量化が達成される。
【００３０】
【発明の効果】
以上説明してきたように、請求項１の発明によれば、相手側コネクタが挿入される機器ケースの挿入部に、基板用コネクタが装着される配線基板側に向けて延長されて相手側コネクタ挿入時のガイドとなるガイド部を設けたため、その分相手側コネクタのガイドとなる基板用コネクタ側のフード部を小さく、あるいはなくすことができて基板用コネクタの小型化およびコスト低下を図ることが可能となり、小型化の達成により、より狭いスペースでの使用が可能となって汎用性が向上する。
【００３１】
また、請求項１の発明によれば、基板用コネクタの端子保持部は、底部と、この底部の周囲から配線基板側に向けて延長されて端子の一端側周囲を覆うフード部とを備えており、このフード部は、機器ケース側にガイド部を設けたことにより、短縮化でき、基板用コネクタの小型化を達成できる。
【００３２】
請求項２の発明によれば、計器ケースにおけるガイド部の先端側端部は、配線基板の一方の面に接触するとともに、基板用コネクタにおけるフード部の先端側端部は、配線基板の他方の面に接触しているため、配線基板を機器ケースに装着する際には、配線基板が機器ケースのガイド部先端に当接し、これによりガイド部、配線基板の挿入部およびフード部を、相手側コネクタ挿入の際の連続したガイドとすることができる。
【００３３】
請求項３の発明によれば、基板用コネクタの端子保持部は、配線基板とほぼ平行な端子保持板で構成され、機器ケースのガイド部は、配線基板の挿入部に挿入されて端子保持板の周縁部に先端が位置するよう延長形成されているため、基板用コネクタの端子保持部におけるフード部が不要となり、基板用コネクタをより小型化することができる。
【図面の簡単な説明】
【図１】この発明の実施の一形態を示す基板用コネクタの接続部構造を備えた自動車用メータの断面図である。
【図２】基板用コネクタおよび相手側コネクタの斜視図である。
【図３】図１の要部の拡大された断面図である。
【図４】この発明の他の実施の形態を示す、図３に相当する断面図である。
【図５】図４の基板用コネクタの接続部構造に使用される基板用コネクタの斜視図である。
【図６】図５の基板用コネクタの雄端子の斜視図である。
【図７】図５の基板用コネクタの端子保持板の斜視図である。
【図８】図７の拡大されたＡ−Ａ断面図である。
【図９】図８における端子保持板の圧入孔に、雄端子が圧入された状態を示す断面図である。
【図１０】従来の基板用コネクタの一例を示す斜視図である。
【図１１】図１０の基板用コネクタが配線基板に装着された状態を示す断面図である。
【符号の説明】
１５，５５  メータケース（機器ケース）
１５ａ，５５ａ  貫通孔（挿入部）
１５ｂ，５５ｂ  ガイド部
１７，４９  配線基板
１７ｂ，４９ａ  貫通孔（挿入部）
３７，４７  基板用コネクタ
３９  ハウジング（端子保持部）
３９ｂ  底部
３９ｃ  側部（フード部）
４１  相手側コネクタ
４３，５３  雄端子（端子）
５１  端子保持板（端子保持部）
【図１】
0003751769.tif 000002
【図２】
0003751769.tif 000003
【図３】
0003751769.tif 000004
【図４】
0003751769.tif 000005
【図５】
0003751769.tif 000006
【図６】
0003751769.tif 000007
【図７】
0003751769.tif 000008
【図８】
0003751769.tif 000009
【図９】
0003751769.tif 000010
【図１０】
0003751769.tif 000011
【図１１】
0003751769.tif 000012